(57)【要約】【課題】従来のモップ糸は先端が切りっぱなしになっていた。洗濯機に掛けると、よりがすぐに戻って繊維束が次第にほぐれてしまった。このため、清掃力を弱め更に耐久性にも劣った。また、腰が弱くて清掃が効果的には進行しなかった。本発明が解決しようとする課題は、ほぐれにくくて耐久性に優れ、腰の強いモップ糸を提供する点にある。【解決手段】長いひも状の繊維束を一定幅かつ一定厚になるようにジグザグに折り返したものを全体で方形に形成し、中央に短冊状の基布を取り付ける。折り返された隣同士の繊維束の２本ずつが互いによじれ合い巻き付き合っている。先端は切りっぱなしとはなっておらず、ほぐれることはない。先端を折り返した２本ずつがよじれ合い巻き付け合っているため、硬くなって腰はきわめて強い。このため、床面等に押し付けて清掃をするとき床面等への摩擦力がきわめて強く、かき取る力も強く清掃が効果的に進行する。【選択図】図１
2007244813.tif 000002
【特許請求の範囲】
【請求項１】
長いひも状の繊維束から製作され、先端は折り返して折り返した隣同士の２本が互いによじれ合い巻き付き合って形成された繊維束の集合体よりなるモップ糸。
【請求項２】
長いひも状の繊維束が一定幅かつ一定厚になるようにジグザグに折り返されたものが全体で方形に形成されて中央がミシン掛けされており、そして折り返された隣同士の２本ずつが互いによじれ合い巻き付き合っているものであるモップ糸。
【請求項３】
請求項２記載のモップ糸の中央に短冊状の基布が取り付けられているモップ糸。
【請求項４】
請求項２記載のモップ糸の複数個の各中央が基布の各別の位置にそれぞれ取り付けられているモップ糸。
【請求項５】
１メートル当り１５０回〜３００回の回転数で回転させたひも状の長い繊維束を一定幅かつ一定厚になるようにジグザグに折り返しながら中央及び両端等をミシン掛けしていき、一定長で切断して中央以外のミシン糸を抜くようにしたモップ糸の製作法。
【請求項６】
１メートル当り１５０回〜３００回の回転数で回転させたひも状の長い繊維束を一定幅かつ一定厚になるようにジグザグに折り返しながら中央及び両端等をミシン掛けしていき、一定長で切断して中央に横断させて基布を取り付けた後に中央以外のミシン糸を抜くようにしたモップ糸の製作法。
【請求項７】
１メートル当り１５０回〜３００回の回転数で回転させたひも状の長い繊維束を一定幅かつ一定厚になるようにジグザグに折り返しながら中央及び両端等をミシン掛けしていき、一定長で切断して中央以外のミシン糸を抜いた後に中央に横断させて基布を取り付けるようにしたモップ糸の製作法。
【請求項８】
１メートル当り１５０回〜３００回の回転数で回転させたひも状の長い繊維束を一定幅かつ一定厚になるようにジグザグに折り返しながら中央及び両端等をミシン掛けしていき、中央以外のミシン糸を抜いた後に一定長で切断して中央に横断させて基布を取り付けるようにしたモップ糸の製作法。
【請求項９】
１メートル当り１５０回〜３００回の回転数で回転させたひも状の長い繊維束を一定幅かつ一定厚になるようにジグザグに折り返しながら中央及び両端等をミシン掛けしていって一定長で切断したものの複数個の各中央を基布の各別の位置にそれぞれ取り付けた後に中央以外のミシン糸をそれぞれ抜くようにしたモップ糸の製作法。
【請求項１０】
１メートル当り１５０回〜３００回の回転数で回転させたひも状の長い繊維束を一定幅かつ一定厚になるようにジグザグに折り返しながら中央及び両端等をミシン掛けしていって一定長で切断し、中央以外のミシン糸をそれぞれ抜いた後にそれらの複数個の各中央を基布の各別の位置にそれぞれ取り付けるようにしたモップ糸の製作法。
【請求項１１】
１メートル当り１５０回〜３００回の回転数で回転させたひも状の長い繊維束を一定幅かつ一定厚になるようにジグザグに折り返しながら中央及び両端等をミシン掛けしていって中央以外のミシン糸をそれぞれ抜いた後に一定長で切断し、それらの複数個の各中央を基布の各別の位置にそれぞれ取り付けるようにしたモップ糸の製作法。
【発明の詳細な説明】
【技術分野】
【０００１】  本発明は、モップ糸及びその製作法に関するものである。
【背景技術】
【０００２】  図１及び図２は本発明の実施の形態を示す図であるが、これらの図を借りて従来のモップ糸の製作法を説明する。まず、多数の繊維を直径２〜３ｍｍの束に束ね、機械を用い１メートル当たり約１００回転程度の回転数で回転させていく。このようにしてよった後に機械から外してもよりが癖となって残ってくれれば問題ないが、繊維によっては元に戻ってしまうこともある。元に戻る場合は、例えば接着糸を繊維束に混入しておき、繊維束をよった後に加熱して接着し、よりが戻らないようにすることもできる。つぎに、機械を用い図２に示すように、よった繊維束を一定幅かつ一定厚になるようにそして全体が長尺状になるようにジグザグに折り返していく。同時に長尺の中央及び両端をミシン掛けしていく。最後に長尺を一定長で切り分けて方形のものとし、図１に示すように、方形のものの中央に短冊状の布地を横断して乗せ、布地に沿って数筋に渡ってミシン掛けして一体化し両端のミシン糸を抜き取るとモップ糸が完成する。また、ミシン糸を抜き取らずに両端を切断し両端を切りっぱなしにするものもある。組みひも状に繊維を編んだものを素材とし、同様にしてモップ糸を製作するものも使用されている。
【発明の開示】
【発明が解決しようとする課題】
【０００３】  前記モップ糸には次のような欠点がある。モップ糸の先端を切断せず先端をループ状にしたものにおいては、清掃中にあちこちにあるいろんな突起物にループが引っ掛かって作業を中断しなければならないことも度度であった。このため、モップ糸の先端を切りっぱなしにしたものが多用されるようになった。ところが、切りっぱなしのものは、洗濯機に掛けると、よりがすぐに戻って繊維束が次第にほぐれてしまった。清掃中も同じことが起きがちであった。このため、清掃力を弱め更に耐久性にも劣った。また、ひも状のものをよったもの又は組みひも状のものであるため腰が弱い。このため、床面等に押し付けて清掃をするとき床面等への摩擦力が弱く、清掃が効果的には進行しないおそれがあった。【０００４】  本発明が解決しようとする課題は、ほぐれにくくて耐久性に優れ、腰が強くてこすり取る力が強く清掃力に優れたモップ糸及びその製作法を提供する点にある。
【課題を解決するための手段】
【０００５】  請求項１に係るモップ糸は、長いひも状の繊維束から製作され、先端は折り返して折り返した隣同士の２本が互いによじれ合い巻き付き合って形成された繊維束の集合体よりなるものである。【０００６】  請求項２に係るモップ糸は、長いひも状の繊維束が一定幅かつ一定厚になるようにジグザグに折り返されたものが全体で方形に形成されて中央がミシン掛けされており、そして折り返された隣同士の２本ずつが互いによじれ合い巻き付き合っているものである。【０００７】  請求項３に係るモップ糸は、請求項２記載のモップ糸の中央に短冊状の基布が取り付けられているものである。【０００８】  請求項４に係るモップ糸は、請求項２記載のモップ糸の複数個の各中央が基布の各別の位置にそれぞれ取り付けられているものである。【０００９】  請求項５に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていき、一定長で切断して中央以外のミシン糸を抜くようにしたものである。【００１０】  請求項６に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていき、一定長で切断して中央に横断させて基布を取り付けた後に中央以外のミシン糸を抜くようにしたものである。【００１１】  請求項７に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていき、一定長で切断して中央以外のミシン糸を抜いた後に中央に横断させて基布を取り付けるようにしたものである。【００１２】  請求項８に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていき、中央以外のミシン糸を抜いた後に一定長で切断して中央に横断させて基布を取り付けるようにしたものである。【００１３】  請求項９に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていって一定長で切断したものの複数個の各中央を基布の各別の位置にそれぞれ取り付けた後に中央以外のミシン糸をそれぞれ抜くようにしたものである。【００１４】  請求項１０に係るモップ糸の製作法は、１メートル当り１５０回〜３００回の回転数で回転させたひも状の長い繊維束を一定幅かつ一定厚になるようにジグザグに折り返しながら中央及び両端等をミシン掛けしていって一定長で切断し、中央以外のミシン糸をそれぞれ抜いた後にそれらの複数個の各中央を基布の各別の位置にそれぞれ取り付けるようにしたものである。【００１５】  請求項１１に係るモップ糸の製作法は、１メートル当り１５０回〜３００回の回転数で回転させたひも状の長い繊維束を一定幅かつ一定厚になるようにジグザグに折り返しながら��央及び両端等をミシン掛けしていって中央以外のミシン糸をそれぞれ抜いた後に一定長で切断し、それらの複数個の各中央を基布の各別の位置にそれぞれ取り付けるようにしたものである。【００１６】  仮のミシン掛けは両端以外の箇所で行うこともある。一定長で切断したものを二重以上に折り返した後に中央に基布を取り付けたり、基布の各位置に取り付けたりすることもある。
【発明の効果】
【００１７】  本発明に係るモップ糸は、ほぐれにくくて耐久性に優れ、腰が強くてこすり取る力も強く清掃力に優れている。
【発明を実施するための最良の形態】
【００１８】  本発明を実施するための最良の形態を図１・図２に基づいて説明する。図１はモップ糸を示す斜視図及び要部拡大正面図、図２は図１に示したものを製作する途中工程を示す平面図である。図１に示したモップ糸の製作法を説明する。直径２〜３ｍｍの長いひも状の繊維束を用意し、機械を用い１メートル当たり１５０〜３００回程度の回転数で回転させていく。回転数は繊維束の太さ、繊維の性質・材質等を考慮して決める。このように強くよったひも状の繊維束を、図２に示すように一定厚かつ一定幅になるようにジグザグに折り返して長尺のものを作成しながら、その長尺の中央及び両端にミシン掛けしていく。このようにして作った長尺を一定長で切断し、図１に示すように、中央に基布をミシン掛けして取り付ける。最後に、両端のミシン糸を抜くと、折り返した隣同士の繊維束同士が、図１の拡大図が示すように、全長に渡って何重にも互いによじれ合い巻き付け合いを瞬時に起こす。繊維束を強くよじっているため、繊維束に大きな回転エネルギーが蓄えられており、両端のミシン糸を抜いた瞬間に回転エネルギーが解放され前記の現象が起きるのである。【００１９】  図１に示したモップ糸においては、先端は折り返してはいるが図１から明らかなようにどこにも隙間がない。したがって、突起物に引っ掛かるおそれはない。また、先端は切りっぱなしとはなっておらず、折り返した形状になっている。したがって、先端からほぐれてくるようなことはない。また、先端を折り返した２本ずつがよじれ合い巻き付け合っているため、硬くなって腰はきわめて強い。このため、床面等に押し付けて清掃をするとき床面等への摩擦力がきわめて強く、かつかき取る力も強く清掃が効果的に進行する。
【図面の簡単な説明】
【００２０】
【図１】発明を実施するための最良の形態を示す斜視図及び要部拡大正面図である。
【図２】図１に示したものを製作する途中工程を示す平面図である。
【図１】
2007244813.tif 000003
【図２】
2007244813.tif 000004